(57)【要約】【課題】  設置できる場所を多くでき、落雪による事故を防ぐことができる屋外設置型ラジエータ装置を提供する。【解決手段】  ダクト５を第１のダクト構造体２３と、第１のダクト構造体２３の上に位置し且つ第１のダクト構造体２３に連結構造を介して連結される第２のダクト構造体２５とから構成する。連結構造は、第１のダクト構造体２３の中心を通って上下方向に延びる仮想中心線Ｃを中心にして周方向に第２のダクト構造体２５を回転させて第１のダクト構造体２３に対する第２のダクト構造体２５の取付位置を変えることを許容するように構成する。屋根部材７の屋根の形状を、切妻屋根、片流れ屋根またはヴォールト屋根のいずれかにする。【選択図】  図２
2008064354.tif 000002
【特許請求の範囲】
【請求項１】
ラジエータと、
内部に前記ラジエータが収納されるラジエータ収納ケースと、
前記ラジエータ収納ケースの内部空間と通風路とが連通するように前記前記ラジエータ収納ケースの上に配置されたダクトと、
前記ダクトに対して取付手段を介して取り付けられ、前記ダクトの排気口との間に所定の間隔をあけるように配置されて前記排気口と対向する屋根部材と、
前記ラジエータ収納ケース及び/または前記ダクト内に配置され、冷却用空気が前記ラジエータを通過するように前記ラジエータ収納ケース内から空気を誘引して、前記ダクトを通して排出する誘引送風機とを具備し、
前記ダクトは、前記ラジエータ収納ケースに固定される第１のダクト構造体と、前記第１のダクト構造体の上に位置し且つ前記第１のダクト構造体に連結構造を介して連結される第２のダクト構造体とを具備し、
前記連結構造は、前記第１のダクト構造体の中心を通って上下方向に延びる仮想中心線を中心にして周方向に前記第２のダクト構造体を回転させて前記第１のダクト構造体に対する前記第２のダクト構造体の取付位置を変えることを許容するように構成されており、
前記屋根部材の屋根の形状が、切妻屋根、片流れ屋根またはヴォールト屋根のいずれかであることを特徴とする屋外設置型ラジエータ装置。
【請求項２】
前記連結構造は、
前記第１のダクト構造体の上端部に前記通風路を囲むように設けられたフランジ部と、
前記第２のダクト構造体に設けられて前記フランジ部と対向する対向壁部と、
前記仮想中心線を中心とする仮想円に沿って前記周方向に等しい間隔をあけて前記フランジ部に形成された複数の第１の貫通孔と、
前記対向壁部に設けられて該対向壁部を貫通し且つ前記複数の第１の貫通孔と整合する複数の第２の貫通孔と、
前記複数の第１の貫通孔と前記複数の第２の貫通孔とを貫通する複数のボルトと、
前記複数のボルトにそれぞれ螺合される複数のナットとから構成されることを特徴とする請求項１に記載の屋外設置型ラジエータ装置。
【請求項３】
前記複数のナットは、前記フランジ部及び前記対向壁部のいずれか一方に固定されていることを特徴とする請求項２に記載の屋外設置型ラジエータ装置。
【請求項４】
前記第２のダクト構造体は、前記対向壁部と、前記対向壁部の外周縁部から起立して上方に延びる周壁部とを有しており、
前記周壁部の上方端部には、前記取付手段としての複数本の支柱の下側端部が所定の間隔をあけて取り付けられ、
前記複数本の支柱の上側端部に前記屋根部材が取り付けられている請求項２または３に記載の屋外設置型ラジエータ装置。
【請求項５】
前記対向壁部の外周部の輪郭形状は矩形状を呈しており、
前記周壁部は四角形の角筒状を呈しており、
前記周壁部の前記上方端部の四隅に４本の前記支柱の前記下側端部が取り付けられており、
前記屋根部材の屋根の形状は、前記周壁部の前記上方端部の一辺に沿って上側端縁が位置し、前記上方端部の前記一辺と対向する他の一辺に沿って下側端縁が位置する片流れ屋根である請求項２または３に記載の屋外設置型ラジエータ装置。
【請求項６】
隣り合う２本の前記支柱間に形成される窓部には、網、複数の貫通孔が形成されたパンチングプレートまたは柵が配置されている請求項４または５に記載の屋外設置型ラジエータ装置。
【請求項７】
前記第１のダクト構造体の上縁部と前記第２のダクト構造体の下縁部とが嵌合可能な構造を有しており、
前記連結構造は、
前記第１のダクト構造体の前記上縁部に前記仮想中心線を中心とする仮想円に沿って前記周方向に等しい間隔をあけて形成された複数の第１の貫通孔と、
前記第２のダクト構造体の前記下縁部に設けられて前記複数の第１の貫通孔と整合する複数の第２の貫通孔と、
前記複数の第１の貫通孔と前記複数の第２の貫通孔とを貫通する複数のボルトと、
前記複数のボルトにそれぞれ螺合される複数のナットとから構成されることを特徴とする請求項１に記載の屋外設置型ラジエータ装置。
【請求項８】
前記第１のダクト構造体は、円筒形状を有しており、
前記第１のダクト構造体の内部において前記誘引送風機のインペラが回転し、前記誘引送風機のモータが前記第２のダクト構造体内に位置するように、前記誘引送風機が前記第１のダクト構造体に取付けられている請求項１に記載の屋外設置型ラジエータ装置。
【発明の詳細な説明】
【技術分野】
【０００１】
本発明は、屋外設置型ラジエータ装置に関するものである。
【背景技術】
【０００２】
特開２００６−９６７８号公報（特許文献１）等に示されるラジエータ装置は、発電機を駆動するエンジンとラジエータとの間に冷却水を循環させている。そして、誘引送風機により冷却用空気がラジエータを通過するように外部から空気を誘引している。このようなラジエータ装置として屋外に設置されたタイプ（屋外設置型ラジエータ装置）がある。この種の屋外設置型ラジエータ装置としては、内部にラジエータが収納されるラジエータ収納ケースと、ラジエータ収納ケースの内部空間と通風路とが連通するようにラジエータ収納ケースの上に配置されたダクトと、ダクトの排気口との間に所定の間隔をあけるように配置されて排気口と対向する屋根部材とを具備した装置が知られている。そして、通常、屋根部材は、上方に貯まった雪や雨水がダクトの四つの周方向に落ちるように、四つの傾斜面が設けられている。
【特許文献１】特開２００６−９６７８号公報
【発明の開示】
【発明が解決しようとする課題】
【０００３】
しかしながら、従来の屋外設置型ラジエータ装置では、雪や雨水が四方向に落ちるため、雪や雨水によってダクトやラジエータ収納ケースに生じた錆や汚れが人目についたり、ラジエータ装置の周囲に木造建物等がある場合には、木造建物等が屋根部材から落ちてきた雪や雨水により腐食するおそれがある。そのため、ラジエータ装置を屋外に設置する場合に、設置できる場所が限られてしまうという問題があった。
【０００４】
また、人のいる方向に雪が落下すると、落雪により怪我等の事故が発生するおそれがあった。
【０００５】
本発明の目的は、設置できる場所を多くでき、落雪による事故を防ぐことができる屋外設置型ラジエータ装置を提供することにある。
【課題を解決するための手段】
【０００６】
本願発明の屋外設置型ラジエータ装置は、ラジエータと、内部にラジエータが収納されるラジエータ収納ケースと、ダクトと、屋根部材と、誘引送風機とを具備している。ダクトは、ラジエータ収納ケースの内部空間と通風路とが連通するように前記ラジエータ収納ケースの上に配置されている。屋根部材は、ダクトに対して取付手段を介して取り付けられ、ダクトの排気口との間に所定の間隔をあけるように配置されて排気口と対向している。誘引送風機は、ラジエータ収納ケース及び/またはダクト内に配置され、冷却用空気がラジエータを通過するようにラジエータ収納ケース内から空気を誘引して、ダクトを通して排出する。ダクトは、ラジエータ収納ケースに固定される第１のダクト構造体と、第１のダクト構造体の上に位置し且つ第１のダクト構造体に連結構造を介して連結される第２のダクト構造体とを具備している。連結構造は、第１のダクト構造体の中心を通って上下方向に延びる仮想中心線を中心にして周方向に第２のダクト構造体を回転させて第１のダクト構造体に対する第２のダクト構造体の取付位置を変えることを許容するように構成されている。屋根部材の屋根の形状は、切妻屋根、片流れ屋根またはヴォールト屋根のいずれかである。なお、ここで切妻屋根とは、尾根を形成するように二つの傾斜面を有する屋根である。片流れ屋根とは、一つの傾斜面からなる屋根である。ヴォールト屋根は、断面が半円弧または扇形になるように、湾曲した面を有する屋根である。
【０００７】
本発明では、第１のダクト構造体と第２のダクト構造体とを連結する連結構造は、第１のダクト構造体の中心を通って上下方向に延びる仮想中心線を中心にして周方向に第２のダクト構造体を回転させて第１のダクト構造体に対する第２のダクト構造体の取付位置を変えることを許容するように構成されている。そして、屋根部材の屋根の形状は、切妻屋根、片流れ屋根またはヴォールト屋根のいずれかである。このため、屋根部材の屋根の形状が切妻屋根またはヴォールト屋根の場合は、屋根部材の上方に貯まった雪や雨水が落ちる方向は１８０°異なる二方向になり、屋根部材の屋根の形状が片流れ屋根の場合は、屋根部材の上方に貯まった雪や雨水が落ちる方向は一方向になる。そして、第１のダクト構造体に対する第２のダクト構造体の取付位置を変えることにより、雪や雨水が落ちる方向を適宜に変えることができる。そのため、雪や雨水が落ちる方向を人が立ち入らない方向にすることにより、ダクトやラジエータ収納ケースの錆や汚れを人目につかないようにすることができる。また、ラジエータ装置の周囲に木造建物等がある場合には、木造建物等のある方向に雪や雨水が落ちないようにすることができる。そのため、ラジエータ装置の設置できる場所を多くできる。
【０００８】
また、人がいる方向を避けるように、雪が落ちる方向を定めることにより、落雪による事故を防ぐことができる。
【０００９】
連結構造は、第１のダクト構造体の上端部に通風路を囲むように設けられたフランジ部と、第２のダクト構造体に設けられてフランジ部と対向する対向壁部と、仮想中心線を中心とする仮想円に沿って周方向に等しい間隔をあけてフランジ部に形成された複数の第１の貫通孔と、対向壁部に設けられて該対向壁部を貫通し且つ複数の第１の貫通孔と整合する複数の第２の貫通孔と、整合した複数の第１の貫通孔と複数の第２の貫通孔とを貫通する複数のボルトと、複数のボルトにそれぞれ螺合される複数のナットとから構成することができる。この場合、第１のダクト構造体に対する第２のダクト構造体の適切な取付位置を決定し、その位置において、複数の第１の貫通孔と複数の第２の貫通孔とに複数のボルトをそれぞれ貫通し、複数のボルトに複数のナットをそれぞれ螺合して第１のダクト構造体と第２のダクト構造体とを連結する。このようにすれば、第１のダクト構造体のフランジ部に複数の第１の貫通孔を形成し、第２のダクト構造体の対向壁部に複数の第２の貫通孔を形成するだけで、簡単に第１のダクト構造体に対する第２のダクト構造体の取付位置を変えられる連結構造を構成することができる。また、複数の第１及び第２の貫通孔の数を調整することで、第１のダクト構造体に対する第２のダクト構造体の取付位置の数を変えることができる。
【００１０】
複数のナットは、フランジ部及び対向壁部のいずれか一方に固定することができる。このようにすれば、ボルト及びナットをしっかりとフランジ部及び対向壁部に取付けることができる。
【００１１】
第２のダクト構造体は、対向壁部と、対向壁部の外周縁部から起立して上方に延びる周壁部とを有するように構成することができる。この場合、周壁部の上方端部には、取付手段としての複数本の支柱の下側端部を所定の間隔をあけて取り付け、複数本の支柱の上側端部に屋根部材を取り付けるのが好ましい。このようにすれば、複数本の支柱により、ダクトの排気口と屋根部材との間に十分な大きさの間隔をあけることができ、冷却用空気の流れがスムーズになる。
【００１２】
対向壁部の外周部の輪郭形状が矩形状を呈しており、周壁部が四角形の角筒状を呈している場合は、周壁部の上方端部の四隅に４本の支柱の下側端部を取り付け、屋根部材の屋根の形状は、周壁部の上方端部の一辺に沿って上側端縁が位置し、上方端部の一辺と対向する他の一辺に沿って下側端縁が位置する片流れ屋根とするのが好ましい。このようにすれば、４本の支柱により屋根部材をしっかりとダクトに取付けることができる。また、屋根部材を片流れ屋根とすることにより、簡単に屋根部材を形成できる。さらに、屋根部材の上方に貯まった雪や雨水が一方向だけに落ちるため、ラジエータ装置を設置できる場所を多くすることができる。
【００１３】
隣り合う２本の支柱間に形成される窓部には、網、複数の貫通孔が形成されたパンチングプレートまたは柵が配置するのが好ましい。このようにすれば、ダクトやラジエータ内に窓部から誤って物が落ちるのを防ぐことができる。
【００１４】
第１のダクト構造体の上縁部と第２のダクト構造体の下縁部とは、嵌合可能に構成することができる。この場合、連結構造は、第１のダクト構造体の上縁部に仮想中心線を中心とする仮想円に沿って周方向に等しい間隔をあけて形成された複数の第１の貫通孔と、第２のダクト構造体の下縁部に設けられて複数の第１の貫通孔と整合する複数の第２の貫通孔と、複数の第１の貫通孔と複数の第２の貫通孔とを貫通する複数のボルトと、複数のボルトにそれぞれ螺合される複数のナットとから構成することができる。このようにすれば、第１のダクト構造体及び第２のダクト構造体の形状を簡単にして、連結構造を構成することができる。
【００１５】
第１のダクト構造体は、円筒形状を有しており、第１のダクト構造体の内部において誘引送風機のインペラが回転し、誘引送風機のモータが第２のダクト構造体内に位置するように、誘引送風機を第１のダクト構造体に取付けるのが好ましい。このようにすれば、第２のダクト構造体を第１のダクト構造体から容易に取り外すことができる。また、第２のダクト構造体を第１のダクト構造体から取り外すことにより、容易に誘引送風機の修理を行うことができる。また、円筒形状の第１のダクト構造体の内部において誘引送風機のインペラが回転するので、冷却用空気がスムーズに流動し、風音を下げることができる。
【発明の効果】
【００１６】
本発明によれば、第１のダクト構造体と第２のダクト構造体とを連結する連結構造は、第１のダクト構造体の中心を通って上下方向に延びる仮想中心線を中心にして周方向に第２のダクト構造体を回転させて第１のダクト構造体に対する第２のダクト構造体の取付位置を変えることを許容するように構成されている。そして、屋根部材の屋根の形状は、切妻屋根、片流れ屋根またはヴォールト屋根のいずれかである。このため、屋根部材の屋根の形状が切妻屋根またはヴォールト屋根の場合は、屋根部材の上方に貯まった雪や雨水が落ちる方向は１８０°異なる二方向になり、屋根部材の屋根の形状が片流れ屋根の場合は、屋根部材の上方に貯まった雪や雨水が落ちる方向は一方向になる。そして、第１のダクト構造体に対する第２のダクト構造体の取付位置を変えることにより、雪や雨水が落ちる方向を適宜に変えることができる。そのため、雪や雨水が落ちる方向を人が立ち入らない方向にすることにより、ダクトやラジエータ収納ケースの錆や汚れを人目につかないようにすることができる。また、ラジエータ装置の周囲に木造建物等がある場合には、木造建物等のある方向に雪や雨水が落ちないようにすることができる。そのため、ラジエータ装置の設置できる場所を多くできる。
【００１７】
また、人がいる方向を避けるように、雪が落ちる方向を定めることにより、落雪による事故を防ぐことができる。
【発明を実施するための最良の形態】
【００１８】
以下、図面を参照して本発明の実施の形態を詳細に説明する。図１及び図２は、本発明の一実施の形態の屋外設置型ラジエータ装置の平面図及び正面図である。両図に示すように、本例の屋外設置型ラジエータ装置は、ラジエータ１と、ラジエータ収納ケース３と、ダクト５と、屋根部材７と、誘引送風機９とを有している。ラジエータ１は、金属板からなる複数の放熱フィン１１の間に複数の冷却管１３が配置された構造を有する公知のラジエータである。複数の冷却管１３は、冷却水入口管１５と冷却水出口管１７とにそれぞれ連通している。冷却水入口管１５には、図示しないディーゼル発電機から加熱された冷却水が導入され、導入された冷却水は冷却管１３内で冷却される。そして、冷却された冷却水は、冷却水出口管１７を通してディーゼル発電機に戻される。
【００１９】
ラジエータ収納ケース３は、内部にラジエータ１を収納するケースである。ラジエータ収納ケース３は、輪郭が直方形の鉄板の組立品からなり、上方及び下方に上方開口部３ａ及び下方開口部３ｂをそれぞれ有している。上方開口部３ａは、後述するダクト５の吸入口５ａと同じ大きさを有している。下方開口部３ｂは、ラジエータ収納ケース３の下方のほぼ全体を開口する大きさを有している。下方開口部３ｂ内には、ラジエータ１を部分的に載置する図示しない細長い載置部材が配置されている。本例では、ラジエータ収納ケース３の下方の４つの角部には、４本の脚部１９が取り付けられている。また、隣接する２本の脚部１９とラジエータ収納ケース３との間には、スカート部２１が配置されている。スカート部２１は、鉄板からなり、２本の脚部１９の下端を結ぶ仮想線との間（ラジエータ装置を設置する設置面との間）に空隙を形成するように形成されている。
【００２０】
ダクト５は、図３に詳細に示すように、吸入口５ａと排出孔５ｂとラジエータ収納ケース３の内部空間と連通する通風路５ｃとを有しており、第１のダクト構造体２３と第２のダクト構造体２５とが上下方向に連結構造を介して連結されて構成されている。第１のダクト構造体２３は、円筒形状を有しており、上端部には、通風路５ｃを囲むようにフランジ部２７が設けられている。フランジ部２７には、図４に示すように、第１のダクト構造体２３の中心を通って上下方向に延びる仮想中心線Ｃを中心とする仮想円に沿って周方向に等しい間隔をあけて１６個の第１の貫通孔２７ａが形成されている。１６個の第１の貫通孔２７ａは、第１のダクト構造体２３と第２のダクト構造体２５との連結構造の一部を構成している。この連結構造については、後に詳細に説明する。
【００２１】
図２に示すように、第１のダクト構造体２３は、吸入口５ａとラジエータ収納ケース３の上方開口部３ａとが対応するように、ラジエータ収納ケース３に固定されている。この第１のダクト構造体２３には、誘引送風機９が取り付けられている。図３に示すように、誘引送風機９は、モータ２９と、モータ２９に固定されてモータ２９を第１のダクト構造体２３に取付ける取付用部材３１と、モータ２９により回転するインペラ３３とを有している。取付用部材３１は板状を有しており、一部が第１のダクト構造体２３の内壁面に溶接により取付けられている。モータ２９は、第２のダクト構造体２５内に位置するように取付用部材３１に固定されている。インペラ３３は、第１のダクト構造体２３の内部において回転するように、モータ２９に取付けられている。インペラ３３は、冷却用空気がラジエータ１を通過するようにラジエータ収納ケース３内から空気を誘引して、ダクト５を通して排出する。
【００２２】
第２のダクト構造体２５は、第１のダクト構造体２３のフランジ部２７に対向する対向壁部３５と、対向壁部３５の外周縁部から起立して上方に延びる四角形の角筒状の周壁部３７とを有している。対向壁部３５の外周部の輪郭形状は矩形状を呈しており、中心に円形の開口部３９を有している。対向壁部３５には、図５に示すように、対向壁部３５を貫通し且つ１６個の第１の貫通孔２７ａと整合する１６個の第２の貫通孔３５ａが形成されている。
【００２３】
ここで、第１のダクト構造体２３と第２のダクト構造体２５との連結構造について説明する。図６は、第１のダクト構造体２３と第２のダクト構造体２５との連結部分の断面を拡大した図である。図６に示すように、対向壁部３５の上面には、第２の貫通孔３５ａと対応するように、ナット４１が溶接によりそれぞれ固定されている。そして、フランジ部２７の下方から第１の貫通孔２７ａと第２の貫通孔３５ａとを貫通してナット４１にそれぞれ螺合されるボルト４３により、第１のダクト構造体２３と第２のダクト構造体２５とは連結されている。前述したように、第１の貫通孔２７ａ及び第２の貫通孔３５ａは、周方向に等しい間隔をあけて形成されている。このため、仮想中心線Ｃを中心にして周方向に第２のダクト構造体２５を回転させて第１のダクト構造体２３に対する第２のダクト構造体２５の取付位置を変えることができる。
【００２４】
図３に戻って説明すると、屋根部材７は、鉄板の組立品からなり、天井板７ａと該天井板７ａの外周縁部から下方に延びる延びる４つの側板７ｂ〜７ｅとを有している。屋根部材７は、取付手段を構成する４本の支柱４５を介してダクト３に対して取り付けられている。４本の支柱４５は、第２のダクト構造体２５の周壁部３７の上方端部と４つの側板７ｂ〜７ｅとの間に配置されている。これらの４本の支柱４５により、屋根部材７とダクト５の排出口５ｂとの間には所定の間隔が形成される。本例では、隣り合う２本の支柱４５間に形成される窓部には、網、複数の貫通孔が形成されたパンチングプレートまたは柵４７が配置されている。天井板７ａは、周壁部３７の上方端部の一辺３７ａに沿って上側端縁７ｆが位置し、上方端部の一辺３７ａと対向する他の一辺３７ｂに沿って下側端縁７ｇが位置するように水平方向に対して所定の角度で傾斜している。水平方向に対する傾斜角度は、降雨量、降雪量等に応じて適宜に設定すればよい。このように本例の屋根部材７は、いわゆる片流れ屋根である。
【００２５】
本例の屋外設置型ラジエータ装置は、モータ２９によりインペラ３３が回転すると、冷却用空気がラジエータ収納ケース３の下方開口部３ｂから流入し、ダクト５の排出口５ｂから流出する。これにより、ラジエータ１の熱が冷却用空気の流動で放熱されて、ラジエータ１との間で冷却水が循環するディーゼル発電機が冷却される。
【００２６】
本例の屋外設置型ラジエータ装置によれば、屋根部材の屋根の形状は、片流れ屋根になっている。また、第１のダクト構造体２３と第２のダクト構造体２５とを連結する連結構造は、仮想中心線Ｃを中心にして周方向に第２のダクト構造体２５を回転させて第１のダクト構造体２３に対する第２のダクト構造体２５の取付位置を変えることを許容するように構成されている。このため、第１のダクト構造体２３に対する第２のダクト構造体２５の取付位置を変えることにより、雪や雨水が落ちる方向を適宜に変えることができる（本例では矢印Ａ）。そのため、ラジエータ装置の設置できる場所を多くできる。また、人のいる方向を避けるように雪が落ちる方向（矢印Ａ）を定めることにより、落雪による事故を防ぐことができる。
【００２７】
図７は、他の実施の形態のラジエータ装置の第１のダクト構造体１２３と第２のダクト構造体１２５との連結部分の断面を拡大した図である。本例のラジエータ装置では、第１のダクト構造体１２３の上縁部が第２のダクト構造体１２５の下縁部に嵌合可能な構造を有している。本例の連結構造は、第１のダクト構造体１２３の上縁部に仮想中心線Ｃを中心とする仮想円に沿って周方向に等しい間隔をあけて複数の第１の貫通孔１２３ａが形成されている。また、第２のダクト構造体１２５の下縁部に複数の第１の貫通孔１２３ａと整合する複数の第２の貫通孔１２５ａが設けられている。そして、第１のダクト構造体１２３の上縁部の内壁面には、第１の貫通孔１２３ａと対応するように、ナット１４１が溶接によりそれぞれ固定されている。そして、第２の貫通孔１２５ａと第１の貫通孔１２３ａとを貫通してナット１４１にそれぞれ螺合されるボルト１４３により、第１のダクト構造体１２３と第２のダクト構造体１２５とは連結されている。本例においても、第１の貫通孔１２３ａ及び第２の貫通孔１２５ａは、周方向に等しい間隔をあけて形成されている。このため、仮想中心線Ｃを中心にして周方向に第２のダクト構造体１２５を回転させて第１のダクト構造体１２３に対する第２のダクト構造体１２５の取付位置を変えることができる。
【００２８】
なお、上記各例では、第１のダクト構造体または第２のダクト構造体にナットを溶接によりそれぞれ固定したが、ナットを固定させず、第１の貫通孔及び第２の貫通孔を貫通したボルトにナットをそれぞれ螺合して、第１のダクト構造体と第２のダクト構造体とを連結しても構わない。
【図面の簡単な説明】
【００２９】
【図１】本発明の一実施の形態の屋外設置型ラジエータ装置の平面図である。
【図２】図１に示す屋外設置型ラジエータ装置の正面図である。
【図３】図１に示す屋外設置型ラジエータ装置のダクトの斜視図である。
【図４】図３に示すダクトのフランジ部の裏面図である。
【図５】図３に示すダクトの対向壁部の裏面図である。
【図６】図３に示すダクトの第１のダクト構造体と第２のダクト構造体との連結部分の断面を拡大した図である。
【図７】本発明の他の実施の形態の屋外設置型ラジエータ装置の第１のダクト構造体と第２のダクト構造体との連結部分の断面を拡大した図である。
【符号の説明】
【００３０】
１  ラジエータ
３  ラジエータ収納ケース
５  ダクト
７  屋根部材
９  誘引送風機
２３  第１のダクト構造体
２５  第２のダクト構造体
２７  フランジ部
２７ａ  第１の貫通孔
２９  モータ
３３  インペラ
３５  対向壁部
３５ａ  第２の貫通孔
３７  周壁部
４３  ボルト
４５  支柱
Ｃ  仮想中心線
【図１】
2008064354.tif 000003
【図２】
2008064354.tif 000004
【図３】
2008064354.tif 000005
【図４】
2008064354.tif 000006
【図５】
2008064354.tif 000007
【図６】
2008064354.tif 000008
【図７】
2008064354.tif 000009